(57)【要約】【課題】上り下りし易く横方向への移動も可能にして単数のみならず複数の猫であっても欲求が満たされるようにし、猫の運動不足や本能に応えることができるキャットタワーを提供する。【解決手段】ベース板１に間隔を隔てて立設された４本の支柱２のうちの互いに隣接する支柱２に対し支持される複数の棚板３，４を備える。各棚板３，４を、互いに平行でかつ長さが等しい２つの第１辺及び第２辺と当該第１及び第２辺の両端に一端がそれぞれ連続する互いに長さが等しい第３〜第６辺とで六角形状に形成する。互いに相隣なる２つの支柱２の支持面２１に一方の半径面部を固定した扇状連結部材６１の他方の半径面部に対し、第１辺並びにこの第１辺に連続する第３及び第４辺の一方、若しくは第３及び第４辺をそれぞれ固定している。【選択図】図１
2020145943.tif 000002
【特許請求の範囲】
【請求項１】
ベース板に間隔を隔てて立設された複数の支柱と、この各支柱のうちの互いに隣接する支柱に対し支持される複数の棚板とを備えたキャットタワーであって、
前記各棚板は、互いに平行でかつ長さが等しい２つの第１辺及び第２辺と当該第１及び第２辺の両端に一端がそれぞれ連続する互いに長さが等しい第３〜第６辺とで六角形状に形成され、
前記各支柱は、少なくとも３本以上備え、そのうちの互いに相隣なる２つの支柱に対し前記第１辺並びにこの第１辺に連続する前記第３及び第４辺の一方、若しくは前記第３及び第４辺が支持具を介して支持されていることを特徴とするキャットタワー。
【請求項２】
前記各棚板は、前記第１及び第２辺が長辺に、前記第３〜第６辺が前記第１及び第２辺よりも短い短辺にそれぞれ設定されている一方、
前記各支柱は、４本備え、前記ベース板上において等脚台形の上底の両端及びこの上底よりも長い下底の両端にそれぞれ対応する位置に立設され、前記等脚台形の上底の両端に対応する位置の前記各支柱の支持面が前記各棚板の第３及び第４辺に対しそれぞれ対峙し、かつ前記等脚台形の下底の両端に対応する位置の前記各支柱の支持面が前記各棚板の第１辺と第３又は第４辺とに対しそれぞれ対峙するように配置されている請求項１に記載のキャットタワー。
【請求項３】
前記各棚板の２つの棚板のうちの一方の棚板を前記各支柱の支持面の上下方向の同じ高さ位置に対し前記第１辺と第３及び第４辺の一方とで支持しかつ前記２つの棚板のうちの他方の棚板を前記第１辺と第４及び第３辺の他方とで支持した際に、前記一方の棚板の第４及び第３辺の他方に連続する第５辺及び第６辺の一方と、前記他方の棚板の第３及び第４辺の一方に連続する第６辺及び第５辺の他方とは僅かな隙間を存して互いに対峙している請求項２に記載のキャットタワー。
【請求項４】
前記各支柱には、その支持面の上下方向等間隔置きの複数位置において水平方向に貫通する水平方向貫通孔が設けられ、
前記ベース板には、前記各支柱の立設位置において表裏方向に貫通する表裏方向貫通孔が設けられているとともに、前記各棚板には、前記第１辺の両側部並びに第３及び第４辺の中央部を表裏方向に貫通する表裏方向貫通孔が設けられており、
前記支持具は、前記ベース板の上面及び前記各棚板の表裏面の一方と前記各支柱の支持面に対しそれぞれ半径面部が対面するように中心角度が９０°の扇状に形成された扇状連結部材と、この扇状連結部材を前記ベース板の上面及び前記各棚板の表裏面の一方と前記各支柱の支持面とに締結するように前記水平方向貫通孔及び前記表裏方向貫通孔を介して前記各半径面部にそれぞれ螺着される螺着部材とを備えている請求項１〜請求項３のいずれか１つに記載のキャットタワー。
【発明の詳細な説明】
【技術分野】
【０００１】
本発明は、猫が上り下りする複数の棚板を備えたキャットタワーに関する。
【背景技術】
【０００２】
近年より、ペットとしての猫の飼育率が急増している。そのため、家庭の屋内空間で猫を飼う場合の運動不足や本能に応える上で、猫が上り下りする複数の棚板を備えたキャットタワーは知られている（特許文献１参照）。
【０００３】
この場合、キャットタワーの各棚板は、上下方向へ延びる二本の支柱に挟まれた状態で支持され、猫が上り下りできるように梯子状に形成されている。
【先行技術文献】
【特許文献】
【０００４】
【特許文献１】特開２０１５−１２２９５９号公報
【発明の概要】
【発明が解決しようとする課題】
【０００５】
ところで、近年より猫を屋内でのみ飼育する傾向がある。その場合、前記従来のものでは、棚板自体が梯子の踏み板のように面積が小さいものを使用しているため、単数の猫が上り下りできるものの横方向への移動には制約があり、欲求が満たされているとはいえない。しかも、複数の猫を飼育する場合には、梯子の踏み板のような棚板であれば単数の猫の上り下りはできるものの、複数の猫の上り下りには不向きであり、複数の猫の欲求が満たされているとはいえず、複数の猫の運動不足や本能に応えることができない。
【０００６】
本発明は、かかる点に鑑みてなされたものであり、その目的とするところは、上り下りし易く横方向への移動も可能にして単数のみならず複数の猫であっても欲求が満たされるようにし、猫の運動不足や本能に応えることができるキャットタワーを提供することにある。
【課題を解決するための手段】
【０００７】
前記目的を達成するため、本発明では、ベース板に間隔を隔てて立設された複数の支柱と、この各支柱のうちの互いに隣接する支柱に対し支持される複数の棚板とを備えたキャットタワーを前提とする。更に、前記各棚板を、互いに平行でかつ長さが等しい２つの第１辺及び第２辺と当該第１及び第２辺の両端に一端がそれぞれ連続する互いに長さが等しい第３〜第６辺とで六角形状に形成する。そして、前記各支柱を、少なくとも３本以上備え、そのうちの互いに相隣なる２つの支柱に対し前記第１辺並びにこの第１辺に連続する前記第３及び第４辺の一方、若しくは前記第３及び第４辺が支持具を介して支持することを特徴としている。
【０００８】
また、前記各棚板は、前記第１及び第２辺を長辺に、前記第３〜第６辺を前記第１及び第２辺よりも短い短辺にそれぞれ設定する。一方、前記各支柱を、４本備え、前記ベース板上において等脚台形の上底の両端及びこの上底よりも長い下底の両端にそれぞれ対応する位置に立設する。そして、前記等脚台形の上底の両端に対応する位置の前記各支柱の支持面を前記各棚板の第３及び第４辺に対しそれぞれ対峙させ、かつ前記等脚台形の下底の両端に対応する位置の前記各支柱の支持面を前記各棚板の第１辺と第３又は第４辺とに対しそれぞれ対峙するように配置していてもよい。
【０００９】
加えて、前記各棚板の２つの棚板のうちの一方の棚板を前記各支柱の支持面の上下方向の同じ高さ位置に対し前記第１辺と第３及び第４辺の一方とで支持しかつ前記２つの棚板のうちの他方の棚板を前記第１辺と第４及び第３辺の他方とで支持した際に、前記一方の棚板の第４及び第３辺の他方に連続する第５辺及び第６辺の一方と、前記他方の棚板の第３及び第４辺の一方に連続する第６辺及び第５辺の他方とが僅かな隙間を存して互いに対峙していてもよい。
【００１０】
更に、前記各支柱に、その支持面の上下方向等間隔置きの複数位置において水平方向に貫通する水平方向貫通孔を設ける。また、前記ベース板に、前記各支柱の立設位置において表裏方向に貫通する表裏方向貫通孔を設けるとともに、前記各棚板に、前記第１辺の両側部並びに第３及び第４辺の中央部を表裏方向に貫通する表裏方向貫通孔を設ける。そして、前記支持具に、前記ベース板の上面及び前記各棚板の表裏面の一方と前記各支柱の支持面に対しそれぞれ半径面部が対面するように中心角度が９０°の扇状に形成された扇状連結部材と、この扇状連結部材を前記ベース板の上面及び前記各棚板の表裏面の一方と前記各支柱の支持面とに締結するように前記水平方向貫通孔及び前記表裏方向貫通孔を介して前記各半径面部にそれぞれ螺着される螺着部材とを設けていてもよい。
【発明の効果】
【００１１】
以上、要するに、ベース板上に間隔を隔てて立設した３本以上の支柱のうちの互いに隣接する支柱に対し六角形状を呈する複数の棚板を、互いに平行で等長な第１及び第２辺のうちの第１辺並びにこの第１辺に連続する互いに等長な第３及び第４辺の一方、若しくは第３及び第４辺が支持具を介して支持するようにしている。このため、各棚板が少なくとも３本以上の支柱のうちの互いに隣接する支柱に跨って支持され、上り下りし易く横方向への移動も可能となって単数のみならず複数の猫であっても欲求が満たされ、猫の運動不足や本能に応えることができる。
【００１２】
しかも、各棚板を３本以上の支柱のうちの互いに隣接する支柱の支持面に支持することで、３本以上の支柱のうちの互いに隣接する２つの支柱に跨る複数の棚板によってキャットタワーの剛性を効果的に高めることができる。
【００１３】
また、各棚板の第１及び第２辺を長辺に、第３〜第６辺を短辺にそれぞれ設定するとともに、ベース板上において等脚台形の短い上底の両端及び長い下底の両端にそれぞれ対応する位置に４本の支柱を立設し、等脚台形の上底の両端に対応する位置の各支柱の支持面を各棚板の第１辺と第３及び第４辺の一方とに対しそれぞれ対峙させ、かつ等脚台形の下底の両端に対応する位置の各支柱の支持面を各棚板の第３又は第４辺に対しそれぞれ対峙させることで、等脚台形の上底の両端及び下底の両端にそれぞれ対応する位置の４本の支柱の支持面に対し各棚板をそれぞれ対峙した状態で強固に支持することができ、キャットタワーの剛性をより効果的に高めることができる。
【００１４】
また、各棚板の２つの棚板のうちの一方の棚板を各支柱の支持面の上下方向の同じ高さ位置に対し第１辺と第３及び第４辺の一方とで支持しかつ他方の棚板を第１辺と第４及び第３辺の他方とで支持した際に、一方の棚板の第５辺及び第６辺の一方と他方の棚板の第６辺及び第５辺の他方とを僅かな隙間を存して互いに対峙することで、２つの棚板を合わせたような広い面積の棚板が出現し、単数のみならず複数の猫の欲求をも満たしつつ運動不足や本能に十分に応えることができる。
【００１５】
更に、ベース板の上面及び各棚板の表裏面の一方と各支柱の支持面とにそれぞれ対面させた扇状連結部材の各半径面部に対し、各支柱の支持面の複数位置の水平方向貫通孔とベース板、各棚板の第１辺の両側部並びに第３及び第４辺の中央部の表裏方向貫通孔とを介して螺着部材を螺着することで、ベース板に各支柱を扇状連結部材によって簡単かつ強固に固定することができる上、各支柱に各棚板を扇状連結部材によって簡単かつ強固に固定することができる。
【図面の簡単な説明】
【００１６】
【図１】本発明の実施の形態に係るキャットタワーを斜め前方から見た斜視図である。
【図２】図１のキャットタワーを上方から見た平面図である。
【図３】図１のキャットタワーのベース板を表面側から見た平面図である。
【図４】図１のキャットタワーの支柱を支持面側から見た正面図である。
【図５】図１のキャットタワーの第１棚板を表面側から見た平面図である。
【図６】図１のキャットタワーの第２棚板を表面側から見た平面図である。
【図７】図１のキャットタワーの第２棚板を各支柱に支持する状態を示す斜視図である。
【図８】本発明の実施の形態の変形例に係るキャットタワーを斜め前方から見た斜視図である。
【図９】本発明の実施の形態のその他の変形例に係るキャットタワーを斜め前方から見た斜視図である。
【発明を実施するための形態】
【００１７】
以下、本発明の実施の形態を添付した図面により詳細に説明する。
【００１８】
先ず、図１は本発明の実施の形態に係るキャットタワーを斜め前方から見た斜視図、図２は図１のキャットタワーを上方から見た平面図をそれぞれ示している。この図１及び図２において符号Ｘで示すキャットタワーは、略矩形状のベース板１と、このベース板１に間隔を隔てて立設された４本の支柱２，２，…と、各支柱２のうちの互いに相隣なる２つの支柱２，２に対し支持される棚板としての３枚の第１棚板３，３，３及び２枚の第２棚板４，４とを備えている。ベース板１、各支柱２及び各棚板３，４は、ＭＤＦ（中質繊維板）により成形されている。
【００１９】
図３は図１のキャットタワーＸのベース板１を表面側から見た平面図を示している。この図３にも示すように、ベース板１は、厚さが１８ｍｍ、縦方向（図３では上下方向）の長さが６００ｍｍ、横方向（図３では左右方向）の長さが１２００ｍｍにそれぞれ設定されている。
【００２０】
ベース板１には、各支柱２を立設するための一対のねじ孔１１，１１が表裏方向に貫通して設けられている。各支柱２にそれぞれ対応するねじ孔１１，１１は、ベース板１上における等脚台形の上底Ａの両端Ａ１，Ａ２及びこの上底Ａよりも長い下底Ｂの両端Ｂ１，Ｂ２にそれぞれ対応する位置に設けられている。具体的には、各支柱２毎に対応する一対のねじ孔１１，１１は、その両ねじ孔１１の中間に上底Ａの両端Ａ１，Ａ２及び下底Ｂの両端Ｂ１，Ｂ２が位置するように配置されているとともに、後述する各支柱２の支持面２１と平行に並設されている。
【００２１】
図４は図１のキャットタワーＸの支柱２を支持面側から見た正面図を示している。この図４にも示すように、各支柱２は、断面略矩形状に形成され、幅広な二面のうちの一面が各棚板３，４を支持するための支持面２１とされている。この支持面２１には、その裏面に向けて水平方向に貫通する９つの水平方向貫通孔２２，２２，…が長手方向（上下方向）の等間隔置きに設けられている。各水平方向貫通孔２２は、全長が１２００ｍｍの各支柱２の支持面２１において上下両端より５０ｍｍずつ隔てて１３７．５ｍｍの等間隔置きに設定されている。また、各支柱２の下端には、ベース板１の一対のねじ孔１１，１１毎に対応する一対の螺着穴２３，２３が下面より凹設されている。
【００２２】
また、各支柱２の立設位置においてそれぞれ表裏方向に貫通する表裏方向貫通孔１２，１２，…が設けられている。各表裏方向貫通孔１２は、ベース板１上における上底Ａの両端Ａ１，Ａ２付近及び下底Ｂの両端Ｂ１，Ｂ２付近の一対のねじ孔１１，１１を連結する線分の中点から直交して内方へ６２．５ｍｍ離間した位置に設定されている。なお、図２において、各ねじ孔１１及び各表裏方向貫通孔１２を囲む破線は、ベース板１の裏面に設けられたザグリである。
【００２３】
図５は図１のキャットタワーＸの第１棚板３を表面側から見た平面図、図６は図１のキャットタワーＸの第２棚板４を表面側から見た平面図をそれぞれ示している。この図５及び図６にも示すように、各棚板３，４は、互いに平行でかつ長さが等しい２つの第１辺５１及び第２辺５２と当該第１及び第２辺５１，５２の両端に一端がそれぞれ連続する互いに長さが等しい第３〜第６辺５３〜５６とで六角形状に形成されている。
【００２４】
また、各棚板３，４は、第１及び第２辺５１，５２が長辺（例えば４５０ｍｍ）に、第３〜第６辺５３〜５６が短辺（例えば２１４ｍｍ）にそれぞれ設定されている。第１及び第２辺５１，５２の両端に対し第３〜第６辺５３〜５６の一端は、それぞれ１３５°の角度を存して連続している。第３〜第６辺５３〜５６の他端同士は、９０°の角度を存して連続している。そして、第２棚板４の第１及び第２辺５１，５２方向（長辺方向）の他側には、猫が素通り可能となるように表裏方向へ貫通する直径が１７０ｍｍの素通り孔５７が設けられている。
【００２５】
ベース板１上における等脚台形の上底Ａの一端Ａ１及び下底Ｂの一端Ｂ１にそれぞれ対応する位置の２つの支柱２，２の支持面２１は、各棚板３，４の第１辺５１及び第３辺５３に対しそれぞれ対峙するように配置されている。また、ベース板１上における等脚台形の上底Ａの他端Ａ２及び下底Ｂの他端Ｂ２にそれぞれ対応する位置の２つの支柱２，２の支持面２１は、各棚板３，４の第１辺５１及び第４辺５４に対しそれぞれ対峙するように配置されている。更に、ベース板１上における等脚台形の上底Ａの両端Ａ１，Ａ２に対応する位置の２つの支柱２，２の支持面２１は、各棚板３，４の第３辺５３及び第４辺５４に対しそれぞれ対峙するように配置されている。
【００２６】
各棚板３，４は、ベース板１上における等脚台形の上底Ａの一端Ａ１及び下底Ｂの一端Ｂ１にそれぞれ対応する位置の２つの支柱２，２の支持面２１に対し第１辺５１の他側と第３辺５３とで支持されている。また、各棚板３，４は、ベース板１上における等脚台形の上底Ａの他端Ａ２及び下底Ｂの他端Ｂ２にそれぞれ対応する位置の２つの支柱２，２の支持面２１に対し第１辺５１の一側と第４辺５４とで支持されている。更に、各棚板３，４は、ベース板１上における等脚台形の上底Ａの両端Ａ１，Ａ２に対応する位置の２つの支柱２，２の支持面２１に対し第３辺５３と第４辺５４とで支持されている。
【００２７】
図７は図１のキャットタワーＸの第２棚板４を各支柱２に支持する状態を示す斜視図を示している。図７に示すように、各棚板３，４には、第１辺５１の両側部付近並びに第３及び第４辺５３，５４の中央部を表裏方向に貫通する表裏方向貫通孔５８，５８，…が設けられている。第１辺５１の両側部付近の各表裏方向貫通孔５８は、第１辺５１の両側部付近から当該第１辺５１と直交して内方へ５０ｍｍ離間した位置に設定されている。また、第３及び第４辺５３，５４の中央部の各表裏方向貫通孔５８は、第３及び第４辺５３，５４の中央部から当該第３及び第４辺５３，５４と直交して内方へ５０ｍｍ離間した位置に設定されている。一方、ベース板１にも、各支柱２の立設位置において表裏方向に貫通する表裏方向貫通孔１２が設けられている。
【００２８】
ベース板１上における等脚台形の上底Ａの両端Ａ１，Ａ２及び下底Ｂの両端Ｂ１，Ｂ２にそれぞれ対応する位置には、各支柱２が支持具６を介して支持されている。また、各支柱２の支持面２１には、第１及び第２棚板３，４が支持具６を介して支持されている。
【００２９】
支持具６は、ベース板１の表面及び各棚板３，４の表裏面の一方と各支柱２の支持面２１とに対しそれぞれ半径面部６０，６０が対面するように中心角度が９０°の扇状に形成された扇状連結部材６１，６１，…と、各扇状連結部材６１をベース板１の表面又は各棚板３，４の表面と各支柱２の支持面２１とに締結するように水平方向貫通孔２２及び表裏方向貫通孔１２，５８を介して各半径面部６０にそれぞれ螺着される螺着部材としてのねじ部材６２，６２，…とを備えている。各扇状連結部材６１の２つの半径面部６０，６０には、水平方向貫通孔２２及び表裏方向貫通孔１２，５８を介して挿通されたねじ部材６２を螺着するねじ穴６４がそれぞれ設けられている。この場合、各扇状連結部材６１は、一方の半径面部６０が各支柱２の支持面２１と対面している一方、他方の半径面部６０がベース板１の表面又は各棚板３，４の表面と対面している。
【００３０】
この場合、各扇状連結部材６１のねじ穴６４は、各半径面部６０の半径方向外方寄りにそれぞれ設けられているので、各棚板３，４に猫が載った際の荷重は、各扇状連結部材６１の他方の半径面部６０が各棚板３，４の表面（上面）と対面していると、各半径面部６０の半径方向内方寄りに作用することになる。このため、各扇状連結部材６１は、各棚板３，４に猫が載った際の荷重によって各半径面部６０の半径方向内方寄りを各支柱２の支持面２１及び各棚板３，４の表面に押し付けて、各支柱２に対する各棚板３，４の支持強度を効果的に高めている。
【００３１】
ここで、支持具６によって各支柱２の支持面２１の水平方向貫通孔２２に対するベース板１及び各棚板３，４の支持位置について説明する。
【００３２】
まず、ベース板１の表面に対し扇状連結部材６１の他方（図では略水平面上）の半径面部６０を対面させた状態で裏面から表裏方向貫通孔１２を介してねじ穴６４に挿通したねじ部材６２により締結し、残る一方（図では略鉛直面上）の半径面部６０のねじ穴６４を各支柱２の支持面２１の上下方向の最下端の水平方向貫通孔２２に合致させ、この最下端の水平方向貫通孔２２に支持面２１の裏から挿通したねじ部材６２をねじ穴６４に締結してベース板１上に４本の支柱２，２，…をそれぞれ立設している。
【００３３】
各支柱２のうち、ベース板１上における等脚台形の上底Ａの他端Ａ２及び下底Ｂの他端Ｂ２にそれぞれ対応する位置の２つの各支柱２の支持面２１の最上端の水平方向貫通孔２２に対し一方の半径面部６０のねじ穴６４をそれぞれ合致させ、この各水平方向貫通孔２２に対し支持面２１の裏から挿通したねじ部材６２をねじ穴６４に締結して各扇状連結部材６１の一方の半径面部６０をそれぞれ固定している。そして、この一方の半径面部６０を固定した各扇状連結部材６１の他方の半径面部６０のねじ穴６４に対し、第２棚板４の第１辺５１の一側及び第４辺５４の表裏方向貫通孔５８，５８を合致させ、これらの表裏方向貫通孔５８，５８に第２棚板４の裏から挿通したねじ部材６２をねじ穴６４に締結して各扇状連結部材６１の他方の半径面部６０に第２棚板４を固定している。
【００３４】
そして、各支柱２のうち、ベース板１上における等脚台形の上底Ａの一端Ａ１及び下底Ｂの一端Ｂ１にそれぞれ対応する位置の２つの各支柱２の支持面２１の上下方向の中央つまり最上端及び最下端の水平方向貫通孔２２から５つ目の水平方向貫通孔２２に対しそれぞれ一方の半径面部６０のねじ穴６４を合致させ、この中央の水平方向貫通孔２２に対し支持面２１の裏から挿通したねじ部材６２をねじ穴６４に締結して各扇状連結部材６１の一方の半径面部６０をそれぞれ固定している。そして、この一方の半径面部６０を固定した各扇状連結部材６１の他方の半径面部６０のねじ穴６４に対し、第２棚板４の第１辺５１の他側及び第３辺５３の表裏方向貫通孔５８，５８を合致させ、これらの表裏方向貫通孔５８，５８に第２棚板４の裏から挿通したねじ部材６２をねじ穴６４に締結して各扇状連結部材６１の他方の半径面部６０に第２棚板４を固定している。
【００３５】
一方、ベース板１上における等脚台形の上底Ａの他端Ａ２及び下底Ｂの他端Ｂ２にそれぞれ対応する位置の２つの各支柱２の支持面２１の最上端及び最下端の水平方向貫通孔２２から５つ目の水平方向貫通孔２２に対しそれぞれ一方の半径面部６０のねじ穴６４を合致させ、この中央の水平方向貫通孔２２に対し支持面２１の裏から挿通したねじ部材６２をねじ穴６４に締結して各扇状連結部材６１の一方の半径面部６０をそれぞれ固定している。そして、この一方の半径面部６０を固定した各扇状連結部材６１の他方の半径面部６０のねじ穴６４に対し、第１棚板３の第１辺５１の一側及び第４辺５４の表裏方向貫通孔５８，５８を合致させ、これらの表裏方向貫通孔５８，５８に第１棚板３の裏から挿通したねじ部材６２をねじ穴６４に締結して各扇状連結部材６１の他方の半径面部６０に第１棚板３を固定している。
【００３６】
このとき、各支柱２の支持面２１の最上端及び最下端の水平方向貫通孔２２から５つ目の水平方向貫通孔２２にそれぞれ扇状連結部材６１により固定した第１及び第２棚板３，４は、第２棚板４の第４辺５４の他端に連続する第６辺５６と第１棚板３の第３辺５３の他端に連続する第５辺５５とは僅かな隙間を存して互いに対峙している。
【００３７】
また、ベース板１上における等脚台形の上底Ａの両端Ａ１，Ａ２に対応する位置の２つの各支柱２の最上端及び最下端の水平方向貫通孔２２，２２からそれぞれ３つ目の水平方向貫通孔２２，２２に対し一方の半径面部６０のねじ穴６４をそれぞれ合致させ、これらの水平方向貫通孔２２，２２に対し、支持面２１の裏から挿通したねじ部材６２をねじ穴６４に締結して各扇状連結部材６１の一方の半径面部６０をそれぞれ固定している。そして、この一方の半径面部６０を固定した各扇状連結部材６１の他方の半径面部６０のねじ穴６４に対し、第１棚板３の第３及び第４辺５３，５４の表裏方向貫通孔５８，５８を合致させ、これらの表裏方向貫通孔５８，５８に第１棚板３の裏から挿通したねじ部材６２をねじ穴６４に締結して各扇状連結部材６１の他方の半径面部６０に第１棚板３を固定している。
【００３８】
したがって、本実施の形態では、ベース板１上に間隔を隔てて立設した４本の支柱２，２，…のうちの互いに隣接する支柱２，２に対し六角形状を呈する３枚の第１棚板３，３，３及び２枚の第２棚板４，４が、互いに平行で等長な第１及び第２辺５１，５２のうちの第１辺５１とこの第１辺５１に連続する互いに等長な第３及び第４辺５３，５４の一方、若しくは第３及び第４辺５３，５４が支持具６を介して支持されている。このため、各棚板３，４が４本の支柱２，２，…のうちの互いに隣接する支柱２，２に跨って支持され、上り下りし易く横方向への移動も可能となって単数のみならず複数の猫であっても欲求が満たされ、猫の運動不足や本能に応えることができる。
【００３９】
しかも、各棚板３，４が４本の支柱２，２，…のうちの互いに隣接する２本の支柱２，２の支持面２１に支持されていることにより、４本の支柱２，２，…のうちの互いに隣接する２つの支柱２，２に交互に跨る５枚の各棚板３，４によってキャットタワーＸの剛性を効果的に高めることができる。
【００４０】
また、各棚板３，４の第１及び第２辺５１，５２が長辺に、第３〜第６辺５３〜５６が第１及び第２辺５１，５２の略半分程度の長さの短辺にそれぞれ設定され、ベース板１上における等脚台形の短い上底Ａの両端Ａ１，Ａ２及び長い下底Ｂの両端Ｂ１，Ｂ２にそれぞれ対応する位置に４本の支柱２，２，…が立設され、等脚台形の上底Ａの両端Ａ１，Ａ２に対応する位置の各支柱２の支持面２１を各棚板３，４の第３及び第４辺５３，５４に対しそれぞれ対峙させ、かつ等脚台形の下底Ｂの両端Ｂ１，Ｂ２に対応する位置の各支柱２の支持面２１が各棚板３，４の第１辺５１と第３又は第４辺５３，５４とに対しそれぞれ対峙させている。これにより、ベース板１上における等脚台形の上底Ａの両端Ａ１，Ａ２及び下底Ｂの両端Ｂ１，Ｂ２にそれぞれ対応する位置の４本の支柱２，２，…の支持面２１に対し各棚板３，４をその辺５１，５３，５４がそれぞれ対峙した状態で強固に支持することができ、キャットタワーＸの剛性をより効果的に高めることができる。
【００４１】
また、各支柱２の支持面２１の上下方向の同じ高さ位置つまり各支柱２の支持面２１の上下方向中央の水平方向貫通孔２２においてそれぞれ支持具６を介して第１及び第２棚板３，４を支持した際、その第１棚板３の第５辺５５と第２棚板４の第６辺５６とが僅かな隙間Ｓを存して互いに対峙しているので、２つの第１及び第２棚板３，４を合わせたような広い面積の棚板が出現し、単数のみならず複数の猫であっても欲求が満たされ、猫の運動不足や本能に十分に応えることができる。
【００４２】
更に、ベース板１の表面及び各棚板３，４の表裏面の一方と各支柱２の支持面２１とに半径面部をそれぞれ対面させた扇状連結部材６１に対し、各支柱２の支持面２１の複数位置の水平方向貫通孔２２、並びにベース板１と各棚板３，４の第１辺５１の両側部及び第３，第４辺５３，５４の中央部との表裏方向貫通孔１２，５８を介してねじ部材６２が螺着されているので、ベース板１に各支柱２を扇状連結部材６１によって簡単かつ強固に固定することができる上、各支柱２に各棚板３，４を扇状連結部材６１によって簡単かつ強固に固定することができる。
【００４３】
なお、本発明は、前記実施の形態に限定されるものではなく、その他種々の変形例を包含している。例えば、本実施の形態では、各支柱２対し各棚板３，４を図１のように支持したが、図８及び図９に示すように支持していてもよい。
【００４４】
すなわち、図８に示すように、各支柱２の支持面２１の上下方向の異なる高さ位置、つまり互いに相隣なる２つの支柱２，２の支持面２１に対し各棚板３，４が交互に支柱２，２の支持面２１に対する支持位置を交互に変更しつつ階段状に支持されていてもよい。
【００４５】
具体的には、上底Ａの両端Ａ１，Ａ２に位置する支柱２，２の支持面２１の最上端の水平方向貫通孔２２，２２に第１棚板３の第３及び第４辺５３，５４が扇状連結部材６１により支持され、上底Ａの他端Ａ２及び下底Ｂの他端Ｂ２に位置する支柱２，２の支持面２１の最上端から２つ目の水平方向貫通孔２２，２２に第１棚板３の第１辺５１の一側及び第４辺５４が扇状連結部材６１により支持され、上底Ａの一端Ａ１及び下底Ｂの一端Ｂ１に位置する支柱２，２の支持面２１の最上端から３つ目の水平方向貫通孔２２，２２に第２棚板４の第１辺５１の他側及び第３辺５３が扇状連結部材６１により支持されている。更に、上底Ａの両端Ａ１，Ａ２に位置する支柱２，２の支持面２１の最上端から５つ目の水平方向貫通孔２２，２２に第１棚板３の第３及び第４辺５３，５４が扇状連結部材６１により支持され、上底Ａの一端Ａ１及び下底Ｂの一端Ｂ１に位置する支柱２，２の支持面２１の最上端から７つ目の水平方向貫通孔２２，２２に第２棚板４の第１辺５１の他側及び第３辺５３が扇状連結部材６１により支持され、上底Ａの他端Ａ２及び下底Ｂの他端Ｂ２に位置する支柱２，２の支持面２１の最上端から８つ目の水平方向貫通孔２２，２２に第１棚板３の第１辺５１の一側及び第４辺５４が扇状連結部材６１により支持されている。
【００４６】
一方、図９に示すように、各支柱２の支持面２１の上下方向の同じ高さ位置において互いに相隣なる２つの支柱の支持面に対し可及的に各棚板３，４が支柱２，２の支持面２１に対して支持されていてもよい。
【００４７】
具体的には、上底Ａの一端Ａ１及び下底Ｂの一端Ｂ１に位置する各支柱２の支持面２１の最上端の水平方向貫通孔２２，２２に第２棚板４の第１辺５１の他側及び第３辺５３が扇状連結部材６１により支持されていると共に上底Ａの他端Ａ２及び下底Ｂの他端Ｂ２に位置する各支柱２の支持面２１の最上端の水平方向貫通孔２２，２２に第１棚板３の第１辺５１の一側及び第４辺５４が扇状連結部材６１により支持され、上底Ａの一端Ａ１及び下底Ｂの一端Ｂ１に位置する各支柱２の支持面２１の最上端から３つ目の水平方向貫通孔２２，２２に第１棚板３の第３及び第４辺５３，５４が扇状連結部材６１により支持されている。更に、上底Ａの一端Ａ１及び下底Ｂの一端Ｂ１に位置する各支柱２の支持面２１の最上端から５つ目の水平方向貫通孔２２，２２に第１棚板３の第１辺５１の他側及び第３辺５３が扇状連結部材６１により支持されていると共に上底Ａの他端Ａ２及び下底Ｂの他端Ｂ２に位置する各支柱２の支持面２１の最上端から５つ目の水平方向貫通孔２２，２２に第２棚板３の第１辺５１の一側及び第４辺５４が扇状連結部材６１により支持され、上底Ａの一端Ａ１及び下底Ｂの一端Ｂ１に位置する各支柱２の支持面２１の最上端から７つ目の水平方向貫通孔２２，２２に第１棚板３の第３及び第４辺５３，５４が扇状連結部材６１により支持されている。
【００４８】
また、本実施の形態では、扇状連結部材６１の他方の半径面部６０を各棚板３，４の表面と対面させたが、扇状連結部材を各棚板の下面側に配置し、扇状連結部材の他方の半径面部が各棚板の裏面（下面）と対面した状態で固定されていてもよい。その場合、各扇状連結部材のねじ穴は、各半径面部の半径方向内方寄りにそれぞれ設けられているのがこのましい。そのとき、各棚板に猫が載った際の荷重は、各扇状連結部材の他方の半径面部が各棚板の裏面（下面）と対面しているために、各半径面部の半径方向外方寄りに作用することになる。このため、各扇状連結部材は、各棚板に猫が載った際の荷重によって各半径面部の半径方向外方寄りを各支柱の支持面及び各棚板の裏面に押し付けて、各支柱に対する各棚板の支持強度を効果的に高めることが可能となる。
【００４９】
更に、本実施の形態では、ベース板１に４本の支柱２，２，…を立設したが、支柱は３本以上であれば何本立設されていてもよい。また、本実施の形態では、各棚板２に対し各棚板３，４を５つ又は６つ支持したが、棚板の数もこれに限定されるものではなく、猫の上り下りに応じた位置に適宜支持されていればよい。
【００５０】
また、本実施の形態では、各支柱２の支持面２１の各水平方向貫通孔２２に扇状連結部材６１の一方の半径面部６０を固定した状態で、他方の半径面部６０のねじ穴６４に対し各棚板３，４の第１辺５１の一側又は他側、並びに第３辺５３及び第４辺５４の各表裏方向貫通孔５８のうちの２つの各表裏方向貫通孔５８，５８を合致させてから裏面より挿通したねじ部材６２の締結により各棚板３，４をそれぞれ固定したが、他方の半径面部のねじ穴に対し各棚板の２つの表裏方向貫通孔を合致させた状態で裏面より挿通したねじ部材の締結により各棚板をそれぞれ固定した状態で、一方の半径面部のねじ穴に対し各支柱の支持面の各水平方向貫通孔を合致させてから支持面の裏より挿通したねじ部材の締結により各棚板がそれぞれ支柱に固定されるようにしてもよい。
【符号の説明】
【００５１】
１          ベース板
１２        表裏方向貫通孔
２          支柱
２１        支持面
２２        水平方向貫通孔
２８        表裏方向貫通孔
３          第１棚板（棚板）
４          第２棚板（棚板）
５１        第１辺
５２        第２辺
５３        第３辺
５４        第４辺
５５        第５辺
５６        第６辺
５８        表裏方向貫通孔
６          支持具
６０        半径面部
６１        扇状連結部材
６２        ねじ部材（螺着部材）
Ａ          上底
Ａ１，Ａ２  両端
Ｂ          下底
Ｂ１，Ｂ２  両端
Ｓ          隙間
Ｘ          キャットタワー
【図１】
2020145943.tif 000003
【図２】
2020145943.tif 000004
【図３】
2020145943.tif 000005
【図４】
2020145943.tif 000006
【図５】
2020145943.tif 000007
【図６】
2020145943.tif 000008
【図７】
2020145943.tif 000009
【図８】
2020145943.tif 000010
【図９】
2020145943.tif 000011